(57)【要約】【課題】  本発明は、車載用電子機器において、使い勝手の良いものとすることを目的とする。【解決手段】そして、この目的を達成するために本発明は、表示窓５が形成された前面板６を有する本体ケースと、前記表示窓５の本体ケース内方側に配置した表示装置７と、この表示装置７の前記表示窓５とは反対側に対向配置した制御基板８とを備え、前記表示装置７と制御基板８との間には、前記表示装置７を制御基板８に取り付けるための架台９を設け、この架台９は、前記表示装置７を保持する保持部１０と、この保持部１０を前記制御基板８に取り付ける支持脚部１１、１２とを有し、前記表示装置７の上部における前記制御基板８との間隔よりも、この表示装置７の下部における前記制御基板８との間隔を大きくした。【選択図】図３
2012073417.tif 000002
【特許請求の範囲】
【請求項１】
表示窓が形成された前面板を有する本体ケースと、前記表示窓の本体ケース内方側に配置した表示装置と、この表示装置の前記表示窓とは反対側に対向配置した制御基板とを備え、前記表示装置と制御基板との間には、前記表示装置を制御基板に取り付けるための架台を設け、この架台は、前記表示装置を保持する保持部と、この保持部を前記制御基板に取り付ける支持脚部とを有し、前記表示装置の上部における前記制御基板との間隔よりも、この表示装置の下部における前記制御基板との間隔を大きくした車載用電子機器。
【請求項２】
架台の上部とその下方に上方支持脚部、下方支持脚部を設け、前記上方支持脚部の高さよりも、下方支持脚部の高さを高くした請求項１に記載の車載用電子機器。
【請求項３】
表示装置と制御基板を接続したフレキシブル配線を、架台の保持部と、制御基板間に設けた請求項１、または２に記載の車載用電子機器。
【請求項４】
フレキシブル配線と制御基板は、制御基板の下方において接続した請求項３に記載の車載用電子機器。
【発明の詳細な説明】
【技術分野】
【０００１】
本発明は、車載用電子機器に関するものである。
【背景技術】
【０００２】
従来のこの種、車載用電子機器の構成は、以下のようなものとなっていた。
【０００３】
すなわち、表示窓が形成された前面板を有する本体ケースと、前記表示窓の本体ケース内方側に配置した表示装置と、この表示装置の前記表示窓とは反対側に対向配置した制御基板とを備え、前記表示装置と制御基板との間には、前記表示装置を制御基板に取り付けるための架台を設け、この架台は、前記表示装置を保持する保持部と、この保持部を前記制御基板に取り付ける支持脚部とを有する構成となっていた（これに類似する先行文献としては下記特許文献１が存在する）。
【先行技術文献】
【特許文献】
【０００４】
【特許文献１】特開２００６−７８７７９号公報
【発明の概要】
【発明が解決しようとする課題】
【０００５】
前記従来例における課題は、表示装置の表示内容が見にくく、使い勝手が悪いと言うことであった。
【０００６】
すなわち、この種、車載用電子機器は、車内のコンソールボックスに設置されることが多く、ここは運転者の目線からは下方に存在するので、前記表示装置を斜め上から確認する状態となり、その結果として、表示装置の表示内容が見にくく、使い勝手が悪くなるのであった。
【０００７】
そこで、本発明は、使い勝手を良くすることを目的とするものである。
【課題を解決するための手段】
【０００８】
そして、この目的を達成するために本発明は、表示窓が形成された前面板を有する本体ケースと、前記表示窓の本体ケース内方側に配置した表示装置と、この表示装置の前記表示窓とは反対側に対向配置した制御基板とを備え、前記表示装置と制御基板との間には、前記表示装置を制御基板に取り付けるための架台を設け、この架台は、前記表示装置を保持する保持部と、この保持部を前記制御基板に取り付ける支持脚部とを有し、前記表示装置の上部における前記制御基板との間隔よりも、この表示装置の下部における前記制御基板との間隔を大きくし、これによって所期の目的を達成するものである。
【発明の効果】
【０００９】
以上のように本発明は、表示窓が形成された前面板を有する本体ケースと、前記表示窓の本体ケース内方側に配置した表示装置と、この表示装置の前記表示窓とは反対側に対向配置した制御基板とを備え、前記表示装置と制御基板との間には、前記表示装置を制御基板に取り付けるための架台を設け、この架台は、前記表示装置を保持する保持部と、この保持部を前記制御基板に取り付ける支持脚部とを有し、前記表示装置の上部における前記制御基板との間隔よりも、この表示装置の下部における前記制御基板との間隔を大きくしたものであるので、使い勝手の良いものとなる。
【００１０】
すなわち、本発明においては、表示装置を制御基板に取り付けるための架台を設けるとともに、前記表示装置の上部における前記制御基板との間隔よりも、この表示装置の下部における前記制御基板との間隔を大きくしたものであるので、表示装置が上方に傾斜した状態となり、その結果として運転者は表示装置の表示内容が見やすく、使い勝手の良いものとなるのである。
【図面の簡単な説明】
【００１１】
【図１】本発明の一実施形態にかかる車載用電子機器を搭載した車内の正面側の斜視図
【図２】同車載用電子機器の正面図
【図３】図２のＡ−Ａ線断面図
【図４】同要部の分解斜視図
【図５】同要部の正面図
【図６】同要部の側面図
【図７】図５のＡ−Ａ線断面図
【図８】同要部の裏面側からの斜視図
【発明を実施するための形態】
【００１２】
（実施の形態１）
以下、本発明の実施の形態１を、添付図面を用いて説明する。
【００１３】
図１において、１は車両の車内を示し、そのフロント部分には、ハンドル２が設けられ、またこのハンドル２の側方のコンソールボックス３部分には車載用電子機器４が設置されている。
【００１４】
車載用電子機器４は、図２に示すように、横長長方形状の表示窓５が形成された前面板６を有する箱状の本体ケース（図面の煩雑化を避けるために図示せず）と、図３のごとく、前記表示窓５の本体ケース内方側に配置した横長長方形状の表示装置７と、この表示装置７の前記表示窓５とは反対側に対向配置した制御基板８とを備えている。
【００１５】
また、前記表示装置７と制御基板８との間には、図４から理解されるように、前記表示装置７を制御基板８に取り付けるための架台９を設けている。
【００１６】
この架台９は、図４からも理解されるように、前記表示装置７の外周部、および背面部を保持する保持部１０と、この保持部１０を前記制御基板８に取り付ける支持脚部１１、１２とを有している。
【００１７】
前記支持脚部１１は、この図４からも理解されるように、保持部１０の左右部分の、上方側に設けたもので、また前記支持脚部１２は、この図４からも理解されるように、保持部１０の左右部分の、下方側に設けたものである。
【００１８】
ここで、重要なことは、前記支持脚部１１の高さ（長さ）よりも、前記支持脚部１２の高さ（長さ）を、高く（長く）したことである。
【００１９】
たがって、この架台９によって、前記表示装置７を制御基板８に、図５〜図８のごとく取り付ければ、図７のごとく、前記表示装置７の上部における前記制御基板８との間隔よりも、この表示装置７の下部における前記制御基板８との間隔が大きくなる。
つまり、図３からも理解されるように、表示装置７が上方に傾斜した状態となり、その結果として、上方よりこの表示装置７をみる運転者は、この表示装置７の表示内容を見やすくなり、使い勝手の良いものとなるのである。
【００２０】
なお、図３において、制御基板８は前面板６の裏面側のボス部１３、１４に例えばねじ止めにより固定されるものであるので、このボス部１３、１４の傾斜をさらに大きくすれば、上述した表示装置７の上方傾斜を大きく出来るのではないかとも考えられるが、このボス部１３、１４を前面板６の裏面側に樹脂や、金属により金型で一体形成するためには、金型の抜きを考えると、現実的には、困難なものとなる。
【００２１】
その結果、従来では表示装置７の上方傾斜を大きくすることが出来ず、その結果として上方よりこの表示装置７をみる運転者には、この表示装置７の表示内容が見にくく、使い勝手の悪いものとなっていた。
【００２２】
これに対して、本実施形態では、上述のごとく、架台９の支持脚部１１の高さ（長さ）よりも、前記支持脚部１２の高さ（長さ）を、高く（長く）したものであり、これによれば、図３からも理解されるように、表示装置７が上方に傾斜した状態となり、その結果として、上方よりこの表示装置７をみる運転者は、この表示装置７の表示内容を見やすくなり、使い勝手の良いものとなるのである。
【００２３】
また、本実施形態では、このように、前記支持脚部１１の高さ（長さ）よりも、前記支持脚部１２の高さ（長さ）を、高く（長く）したことで、図７のごとく、前記表示装置７の上部における前記制御基板８との間隔よりも、この表示装置７の下部における前記制御基板８との間隔を大きくしている。
【００２４】
そして、このように大きくなった表示装置７の下部における前記制御基板８との間隔に、本実施形態では、表示装置７と制御基板８を接続したフレキシブル配線１５を設けた。
【００２５】
また、この図３に示すごとく、フレキシブル配線１５と制御基板８は、制御基板８の下方において接続した。
【００２６】
以上の構成すると、表示装置７と制御基板８との間隔にフレキシブル配線１５を設けたこと、つまりフレキシブル配線１５の両側に表示装置７と制御基板８が存在することで、車内１で使用の携帯電話などからのノイズがレキシブル配線１５に侵入しにくくなり、その結果として、車載用電子機器としての動作が安定するものとなる。
【００２７】
また、表示装置７の下部における前記制御基板８との間隔に、フレキシブル配線１５を設けるとともに、このフレキシブル配線１５と制御基板８は、制御基板８の下方において接続するしたこと、つまり広い空間にフレキシブル配線１５を設けるとともに、この広い空間部分で制御基板８に接続したことにより、図３からも理解されるように、フレキシブル配線１５の湾曲率が大きくなり、その結果としてストレスによる断線などがおきにくい構造となる。
【産業上の利用可能性】
【００２８】
以上のように本発明は、表示窓が形成された前面板を有する本体ケースと、前記表示窓の本体ケース内方側に配置した表示装置と、この表示装置の前記表示窓とは反対側に対向配置した制御基板とを備え、前記表示装置と制御基板との間には、前記表示装置を制御基板に取り付けるための架台を設け、この架台は、前記表示装置を保持する保持部と、この保持部を前記制御基板に取り付ける支持脚部とを有し、前記表示装置の上部における前記制御基板との間隔よりも、この表示装置の下部における前記制御基板との間隔を大きくしたものであるので、使い勝手の良いものとなる。
【００２９】
すなわち、本発明においては、表示装置を制御基板に取り付けるための架台を設けると
ともに、前記表示装置の上部における前記制御基板との間隔よりも、この表示装置の下部における前記制御基板との間隔を大きくしたものであるので、表示装置が上方に傾斜した状態となり、その結果として運転者は表示装置の表示内容が見やすく、使い勝手の良いものとなるのである。
【００３０】
したがって、車載用電子機器として広く活用されるものとなる。
【符号の説明】
【００３１】
１  車内
２  ハンドル
３  コンソールボックス３
４  車載用電子機器
５  表示窓
６  前面板
７  表示装置
８  制御基板
９  架台
１０  保持部
１１，１２  支持脚部
１３，１４  ボス部
１５  フレキシブル配線
【図１】
2012073417.tif 000003
【図２】
2012073417.tif 000004
【図３】
2012073417.tif 000005
【図４】
2012073417.tif 000006
【図５】
2012073417.tif 000007
【図６】
2012073417.tif 000008
【図７】
2012073417.tif 000009
【図８】
2012073417.tif 000010